(57)【要約】【課題】  高齢難聴者や耳の不自由な方の講演会、セミナー、習い物教室等における講演者、先生、案内者等の音声が明瞭に聞きとれるため【解決手段】  難聴者等により携帯される補聴受信機と講師等に近接して設けられたマイク切替送信機とに夫々アンテナが設けられ、その間を無線システムでつなげた無線音声案内システムであって、該補聴受信機がそのシステム外にも補聴器としての機能を有する難聴者用無線音声案内システム。【選択図】  図１
2005303963.tif 000002
【特許請求の範囲】
【請求項１】
難聴者等により携帯される補聴受信機と講師等に近接して設けられたマイク切替送信機とに夫々アンテナが設けられ、その間を無線システムでつなげた無線音声案内システムであって、しかも、該補聴受信機が無線音声案内システム外にも補聴器としての機能を有することを特徴とする、難聴者用無線音声案内システム。
【請求項２】
補聴受信機が、その表面上部にスピーカーとその耳当て部を、その両側面のいずれかにスイッチ付きボリューム、ＬＥＤ等の電源ランプ表示部、電源用タクトスイッチを、その上下面のいずれかにアンテナ、イアホンジャック、マイクを備えていることを特徴とする、請求項１記載の難聴者用無線音声案内システム。
【請求項３】
マイク切替送信機が、その表面上部にマイクを、その両側面のいずれかに電源用スイッチ、電源用タクトスイッチを、その上下面のいずれかにアンテナ、ＬＥＤ等の電源ランプ表示部、ピンマイク挿入孔を備えていることを特徴とする、請求項１記載の難聴者用無線音声案内システム。
【請求項４】
マイク切替送信機がコードレスマイクであり、送受信に必要な制御機構等をチューナーとしてまとめたことを特徴とする、請求項１記載の難聴者用無線音声案内システム。
【発明の詳細な説明】
【技術分野】
【０００１】  本発明は、高齢難聴者や耳の不自由な方の講演会、セミナー、習い物教室等における講演者、先生、案内者等の音声が明瞭に聞きとれる、補聴者用案内システムに関する。
【背景技術】
【０００２】  従来、高齢難聴者や耳の不自由な方は、講演会、セミナー、習い物教室等では、講演者、先生、案内者等の近くに居て、補聴器等を着用することによりかろうじてその音声を聞き取っているのが現状である。
しかしながら、そのためにその講演会等の内容は十分に理解できなく、そこへの出席を躊躇がちになり、社会性を失うことになる。【０００３】  従来、博覧会、美術館、講演会等において、無線システムを利用した各種案内システムが知られている。
例えば、案内者、先生等に携帯型送信機を持たせ、複数の受講者、被案内者等に夫々携帯型受信機を携帯させ、その間を無線送信・受信システムでつなげ、通報するシステムが多数知られている（特許文献１〜３）。
また、耳に終始当てなくても、聞き取れる携帯型補聴器も本出願人が既に開発している（登録実用新案公報第３０５３８５４号）。
しかしながら、高齢難聴者や耳の不自由な方が、講演会、セミナー、習い物教室等で十分に聞き取れるシステムについて未だ開発されていないのが現状である。【０００４】
【特許文献１】特開平３−２２２５３０号公報
【特許文献２】特開２００２−１０９１１２号公報
【特許文献３】特開２００３−０６９４７６号公報
【発明の開示】
【発明が解決しようとする課題及び解決手段】
【０００５】  そこで、本発明者は、博覧会、美術館、講演会等において無線システムを利用した各種案内システムに着目し、この無線システムと難聴者等用携帯型補聴器とを結びつけることを試み、それらの送受信機の構造にも工夫を凝らし、全く新しい難聴者等用無線音声案内システムを見い出した。
即ち、本発明は；
（１）  難聴者等により携帯される補聴受信機と講師等に近接して設けられたマイク切替送信機とに夫々アンテナが設けられ、その間を無線システムでつなげた無線音声案内システムであって、しかも、該補聴受信機が無線音声案内システム外にも補聴器としての機能を有する、難聴者用無線音声案内システムを提供する。また、
（２）  補聴受信機が、その表面上部にスピーカーとその耳当て部を、その両側面のいずれかにスイッチ付きボリューム、ＬＥＤ等の電源ランプ表示部、電源用タクトスイッチを、その上下面のいずれかにアンテナ、イアホンジャック、マイクを備えている点にも特徴を有する。また、
（３）  マイク切替送信機が、その表面上部にマイクを、その両側面のいずれかに電源用スイッチ、電源用タクトスイッチを、その上下面のいずれかにアンテナ、ＬＥＤ等の電源ランプ表示部、ピンマイク挿入孔を備えている点にも特徴を有する。また、
（４）  マイク切替送信機がコードレスマイクであり、送受信に必要な制御機構等をチューナーとしてまとめた点にも特徴を有する。
【発明の効果】
【０００６】  本発明の難聴者用無線音声案内システムを用いると、講演会、セミナー等や習い物教室等での講師や先生の音声がはっきり聞き取れる。また、旅行案内者等の説明等の場合にも、離れた場所ではっきりと聞き取れる。
離れた位置（３０〜４０ｍ程度）から聞き取る機能があり、また、受信機側にもマイクが付いているので、難聴等の生徒何人にも聞き取れる利点がある。
両機器Ａ、ＢにＬＥＤのような電源表示ランプ部が設けられているので、電源の切り忘れも確認できる。
補聴受信機に電源スイッチと音量調節とが一体化したスイッチ付きボリュームが設けられているので、難聴者等に便利な構成となっている。
【発明を実施するための最良の形態】
【０００７】  以下、本発明を詳細に説明する。
図１により本発明の特徴を詳細に説明する。
本発明の難聴者等用無線音声案内システムは、基本的にマイク切替えＦＭ送信機ＡとＦＭ補聴受信機Ｂとに夫々アンテナ６が設けられ、その間がＦＭ無線波８でつながった構成を有する。
マイク切替えＦＭ送信機Ａは、詳細には、図３の回路図の左側に示された種々の電気・電子部品と回路構成からなり、具体的に該送信機Ａにおいて、その本体の表面上部に外部マイク３を備え、その側面に電源用スイッチ９を、他の側面に電源用タクトスイッチＳを、その上面にピンマイク挿入孔３ａを、その下面にＬＥＤ等の電源ランプ表示部１、アンテナ６を備えている。【０００８】  ＦＭ補聴受信機Ｂは、詳細には、図３の回路図の右側に示された種々の電気・電子部品と回路構成からなり、具体的に該受信機Ｂにおいて、その本体の表面上部にスピーカー４とその耳当て部４ｂを、その側面にスイッチ付きボリューム２、他の側面に電源用タクトスイッチＳを、その上面にイヤホンジャック５を、その下面にＬＥＤ等の電源ランプ表示部１本体マイク３’、アンテナ６を備えている。
そして、両機器Ａ、Ｂで音声を送受信するための制御機構等の回路構成は、夫々の機器内に設けても良いが、特にマイク切替えＦＭ送信機Ａがコードレスマイクの場合には、上記両機器Ａ、Ｂで音声を送受信するための制御機構等の回路構成をチューナーでまとめる構成も採用できる。【０００９】  両機器Ａ、Ｂで音声を送受信するための制御機構等の回路構成は、図３に示すように、マイク切替えＦＭ送信機Ａ側では、電源スイッチ９を閉とすると、ＬＥＤ等の表示ランプ部１が点灯し、外部マイク３又は本体マイク３’からの音声は低周波増幅回路１１、発振・変調回路１２、逓信回路１３、アンテナ出力回路１４を経てアンテナ６から外部にＦＭ無線波８として発信される。
一方、ＦＭ補聴受信機Ｂでは、電源スイッチ９を閉とすると、ＬＥＤ等の表示ランプ部１が点灯し、マイク切替えＦＭ送信機Ａ側からのＦＭ無線波８をアンテナ６により受け、次いで混合・中間周波増幅・検波回路１５に通すと同時に局部発振回路１６でＦＭ無線波８を発振させ、電源タクトスイッチＳを押すと、低周波増幅回路１７で増幅してイヤホンジャック５を介してスピーカー４に音声として伝達する。その際に、電源スイッチ９が閉となったことがＬＥＤ等の表示ランプ１で分かる構成となっている。
【産業上の利用可能性】
【００１０】  本発明に係る補聴者用案内システムは、補聴者や耳の不自由な人のみならず健全者にも適用できるので、応用範囲が広い。
また、この補聴者用案内システムは、補聴者等の社会復帰に極めて有効であり、画期的な発明と言える。
【図面の簡単な説明】
【００１１】
【図１】本発明の難聴者用無線音声案内システムを示す模式図である。
【図２】本発明の難聴者用無線音声案内システムを用いてマイク切替えＦＭ送信機Ａから出された音声がＦＭ無線波を介してＦＭ補聴受信機Ｂ側の難聴者に十分に聞き取らせている状態を示す模式図である。
【図３】本発明の難聴者用無線音声案内システムの回路構成を説明する回路図である。
【符号の説明】
【００１２】  １  ＬＥＤ
２  スイッチ付きボリューム
３  外部マイク
３’  本体マイク
３ａ  ピンマイク挿入孔
４  スピーカー
４ａ  耳当て部
５  イヤホンジャック
５ａ  イヤホン
６  アンテナ
８  ＦＭ無線波
Ｓ  電源用タクトスイッチ
９  電源スイッチ
１１、１７  低周波増幅回路
１２  発振・変調回路
１３  逓倍回路
１４  アンテナ出力回路
１５  混合・中間周波増幅・検波回路
１６  局部発振回路
ｅ  電池
Ａ  マイク切替ＦＭ送信機
Ｂ  ＦＭ補聴受信機
【図１】
2005303963.tif 000003
【図２】
2005303963.tif 000004
【図３】
2005303963.tif 000005